(57)【要約】【課題】シャッタカーテンの下端に付設され、火災時に人が挟まれても上方に退避できる耐熱防火シートで閉鎖される退避用の隙間を十分とることがき、しかもシャッタカーテンをシャッタボックス内に収納した際に防火シートがシャッタボックス下方に残らないようにする。【解決手段】シャッタカーテン３の下端部に橋絡板１１とストッパ脚１２を設け、橋絡板１１に耐熱性繊維材からなる防火シート９を取り付け、ストッパ脚１２に上下方向に相対的に移動可能な係合片２５を設け、ワイヤ２９の一端を係合片２５に取り付け、他端を防火シート９の下端部に取り付け、シャッタカーテンがシャッタボックス内の巻取ドラムに巻き取られると橋絡板１１、ストッパ脚１２及び防火シー９トが上方に移動し、係合片２５がまぐさ３６に係合しストッパ脚１２に対して相対的に移動してワイヤ２９を引っ張り、防火シート９を上方にまくし上げる。【選択図】図６
2005105750.tif 000002
【特許請求の範囲】
【請求項１】
互いに連節された複数のスラットから成るシャッタカーテンを有する防火シャッタに設けられる安全装置であり、上記シャッタカーテンの下端部に取り付けられた橋絡板と該橋絡板の左右両端から下方に伸びる左右のストッパ脚とから一体又は別体で形成された門型ストッパを有し、上記橋絡板に取り付けられ上記橋絡板と左右のストッパ脚で囲う通孔部を閉じる下端に座板が固定された耐熱性繊維材からなる防火シートを備え、上記シャッタカーテン、橋絡板、左右のストッパ脚及び防火シートの左右の側縁部を左右のガイドレールの凹溝内で上下方向に移動して開閉を行う防火シャッタ用安全装置において、
上記左右のストッパ脚にそれぞれ取り付けられ、該左右のストッパ脚に対して上下方向に相対的に移動可能な係合片と、
上記橋絡板の左右にそれぞれ取り付けられたワイヤ案内具と、
該ワイヤ案内具により上下方向に折返して案内され、一端が上記係合片に取り付けられており、他端が上記防火シートの下端部に取り付けられたワイヤと、を備えており、
上記シャッタカーテンがシャッタボックス内の巻取ドラムに巻き取られると上記橋絡板、左右のストッパ脚及び防火シートが上方に移動し、上記係合片が防火シャッタの取付けられた建築物の一部に係合して上記左右のストッパ脚に対して相対的に移動して上記ワイヤを引っ張り、防火シートを上方にまくし上げることが可能な構成であることを特徴とする防火シャッタ用安全装置。
【請求項２】
上記防火シートに左右方向に伸びる中間補強片が付設されており、
上記橋絡板と上記中間補強片との間に引っ張りばねが取り付けられており、該引っ張りばねにより上記防火シートを上方に作用する付勢力は、上記座板の重量により上記防火シートに下向きにかかる力より小さいことを特徴とする請求項１記載の防火シャッタ用安全装置。
【請求項３】
互いに連節された複数のスラットから成るシャッタカーテンを有する防火シャッタに設けられる安全装置であり、上記シャッタカーテンの下端部に取り付けられた橋絡板と該橋絡板の左右両端から下方に伸びる左右のストッパ脚とから一体又は別体で形成された門型ストッパを有し、上記橋絡板と左右のストッパ脚で囲う通孔部を閉じる下端に座板が固定された耐熱性繊維材からなる防火シートを備え、上記シャッタカーテン、橋絡板、左右のストッパ脚及び防火シートの左右の側縁部を左右のガイドレールの凹溝内で上下方向に移動して開閉を行う防火シャッタ用安全装置において、
上記左右のストッパ脚にそれぞれ取り付けられ、該左右のストッパ脚に対して上下方向に相対的に移動可能な係合片と、
上記橋絡板の左右にそれぞれ取り付けられたワイヤ案内具と、
該ワイヤ案内具により上下方向に折返して案内され、一端が上記係合片に取り付けられており、他端が上記防火シートの下端部に取り付けられたワイヤと、
上記橋絡板又は上記シャッタカーテンの下端に取り付けられ、常時防火シートを巻き取る方向にばねにより付勢された巻取筒を備えており、
上記シャッタカーテンがシャッタボックス内の巻取ドラムに巻き取られると上記橋絡板、左右のストッパ脚及び防火シートが上方に移動し、上記係合片が防火シャッタの取付けられた建築物の一部に係合して上記左右のストッパ脚に対して相対的に移動して上記ワイヤを引っ張り、防火シートを上方にまくし上げるとともに、上記巻取筒で防火シートの上部を巻き取ることが可能な構成であることを特徴とする防火シャッタ用安全装置。
【発明の詳細な説明】
【技術分野】
【０００１】
本発明は、建物や施設等に設置される防火シャッタに関し、特に人が防火シャッタに挟まる事故を防止する防火シャッタ用安全装置に関する。
【背景技術】
【０００２】
近年、商業用ビル、学校等における火災への対策として、防火シャッタが普及されている。従来の防火シャッタは、解放時には上方に巻き取られてブレーキで拘束されて収納されており、火災時又は点検時に、ブレーキの拘束を解いて自重によりシャッタを降下させて閉じる構造となっている。
【０００３】
しかしながら、近年、子供が、誤作動により降下した防火シャッタの下敷きとなり、その荷重で圧死するといういたましい事故が発生しており、防火シャッタの安全性の見直しが社会的な問題となっている。安全対策として、火災時あるいは点検時を除いてやたらに防火シャッタが降下しないように設計されているが、万が一に、防火シャッタの降下時に、防火シャッタの直下に人がいる場合は、それを光学的に検知して、緊急にブレーキをかける等の手段が考えられている。
【０００４】
しかし、そのためには、光学的検知装置やブレーキを制御する制御装置等が必要であり、構成が複雑となり新規に防火シャッタを設置する場合でも、既存の防火シャッタに付設する場合でも、設備費用が高くなる。しかも、光学的、電気的な検知装置、制御装置を使用すると、誤動作等の危険性も皆無とは言えない。
【０００５】
本発明者は、上記従来の問題点を解決することを目的とし、既存又は新設の防火シャッタに、簡単な付帯工事をするだけで取り付けることのできる、構造が簡単で低コストの防火シャッタ用安全装置に係る発明をすでに提案している（例えば、特許文献１〜３参照。）。
【０００６】
本発明者によるこれらの先行発明は、防火シャッタのガイドレールに、防火シャッタが設置面との間に隙間を残して停止するストッパ杆を設けるか、あるいは、防火シャッタを隙間を残して閉鎖する寸法に形成するとともに、防火シャッタの下端に防火補助部材として防火スライド板を設け、防火シャッタが閉鎖中は防火シャッタの一部となり防火機能を発揮するが、防火シャッタの降下時に子供等が挟まれると上方にスライドして退避し、防火シャッタと設置面の間に隙間を残すようにして、事故を防止する防火シャッタ用安全装置である。
【０００７】
なお、防火シャッタとして、シャッタを閉鎖した状態で、上半部がスチールシャッタで下半部をゴムシートとし、ゴムシートに切れ目を形成し、火災時にその切れ目から人が避難できる、防煙を目的とする防火シャッタが知られている（特許文献４参照。）
【特許文献１】特許第２９４０６７１号公報
【特許文献２】特開２０００−８７４０号公報
【特許文献３】特開２００２−８７４８号公報
【特許文献４】実開昭５１−９５２４５号公報
【発明の開示】
【発明が解決しようとする課題】
【０００８】
特許文献１〜３は、防火シャッタが降下した際に、防火シャッタの下部に設けたストッパ杆が設置面と当たって停止し隙間を残し、この隙間分だけ防火スライド板が退避するので、子供等が防火シャッタに挟まれることが防止できるという多大な効果を奏する。ところで、ストッパ杆と設置面との間の隙間は、上下方向に大きい寸法であれば、防火スライド板が退避により形成される隙間も大きくできるので好ましい。
【０００９】
しかしながら、この隙間の上下方向の寸法を大きくしても、退避する防火スライド板の上下方向の寸法を大きくすることができない。その理由は、防火シャッタを開いた通常の状態にする際に、シャッタボックス内の巻取ドラムでシャッタカーテンを巻き上げて収納するが、防火スライド板の上下方向の寸法が大きいと、巻き上げ完了の際、要するに、シャッタボックス内にスラットを収納しても、防火スライドがシャッタボックス及び天井壁から下方に残った状態となり、見た目も悪い。
【００１０】
ところで、特許文献４には、上半部がスチールシャッタで下半部がゴムシートを設ける防煙シャッタが記載されているが、この防煙シャッタは、あくまでも火災時に防煙シャッタの切れ目を通して人が避難し、しかも防煙可能とすることを目的とするものである。従って、このように切れ目のあるゴムシートは、消防法等の諸規則で規定する防火シャッタとして機能するものではないし、このように防火シャッタを前提として、シャッタを閉鎖時に人がシャッタと設置面との間に挟まれた際の安全装置として機能するするものではない。
【００１１】
本発明は、上記従来の問題点を解決することを目的とするものであり、防火シャッタを閉鎖した状態で、防火機能を十分発揮する防火シャッタにおいて、シャッタカーテンの下端に取り付たストッパにより、火災時や点検時のシャッタ閉鎖の際に、シャッタカーテンと設置面の間に十分な隙間をとることができ、この隙間を耐熱性の防火シートで閉鎖でき、しかもシャッタ閉鎖時にシャッタカーテンをシャッタボックス内に収納した際に防火シートがシャッタボックス下方で見える位置に残らないようにする防火シャッタ用安全装置を実現することである。
【課題を解決するための手段】
【００１２】
本発明は上記課題を解決するために、互いに連節された複数のスラットから成るシャッタカーテンを有する防火シャッタに設けられる安全装置であり、上記シャッタカーテンの下端部に取り付けられた橋絡板と該橋絡板の左右両端から下方に伸びる左右のストッパ脚とから一体又は別体で形成された門型ストッパを有し、上記橋絡板に取り付けられ上記橋絡板と左右のストッパ脚で囲う通孔部を閉じる下端に座板が固定された耐熱性繊維材からなる防火シートを備え、上記シャッタカーテン、橋絡板、左右のストッパ脚及び防火シートの左右の側縁部を左右のガイドレールの凹溝内で上下方向に移動して開閉を行う防火シャッタ用安全装置において、上記左右のストッパ脚にそれぞれ取り付けられ、該左右のストッパ脚に対して上下方向に相対的に移動可能な係合片と、上記橋絡板の左右にそれぞれ取り付けられたワイヤ案内具と、該ワイヤ案内具により上下方向に折返して案内され、一端が上記係合片に取り付けられており、他端が上記防火シートの下端部に取り付けられたワイヤと、を備えており、上記シャッタカーテンがシャッタボックス内の巻取ドラムに巻き取られると上記橋絡板、左右のストッパ脚及び防火シートが上方に移動し、上記係合片が防火シャッタの取付けられた建築物の一部に係合して上記左右のストッパ脚に対して相対的に移動して上記ワイヤを引っ張り、防火シートを上方にまくし上げることが可能な構成であることを特徴とする防火シャッタ用安全装置を提供する。
【００１３】
上記防火シートに左右方向に伸びる中間補強片が付設されており、上記橋絡板と上記中間補強片との間に引っ張りばねが取り付けられており、該引っ張りばねにより上記防火シートを上方に作用する付勢力は、上記座板の重量により上記防火シートに下向きにかかる力より小さい構成としてもよい。
【００１４】
本発明は上記課題を解決するために、互いに連節された複数のスラットから成るシャッタカーテンを有する防火シャッタに設けられる安全装置であり、上記シャッタカーテンの下端部に取り付けられた橋絡板と該橋絡板の左右両端から下方に伸びる左右のストッパ脚とから一体又は別体で形成された門型ストッパを有し、上記橋絡板と左右のストッパ脚で囲う通孔部を閉じる下端に座板が固定された耐熱性繊維材からなる防火シートを備え、上記シャッタカーテン、橋絡板、左右のストッパ脚及び防火シートの左右の側縁部を左右のガイドレールの凹溝内で上下方向に移動して開閉を行う防火シャッタ用安全装置において、上記左右のストッパ脚にそれぞれ取り付けられ、該左右のストッパ脚に対して上下方向に相対的に移動可能な係合片と、上記橋絡板の左右にそれぞれ取り付けられたワイヤ案内具と、該ワイヤ案内具により上下方向に折返して案内され、一端が上記係合片に取り付けられており、他端が上記防火シートの下端部に取り付けられたワイヤと、上記橋絡板又は上記シャッタカーテンの下端に取り付けられ、常時防火シートを巻き取る方向にばねにより付勢された巻取筒を備えており、上記シャッタカーテンがシャッタボックス内の巻取ドラムに巻き取られると上記橋絡板、左右のストッパ脚及び防火シートが上方に移動し、上記係合片が防火シャッタの取付けられた建築物の一部に係合して上記左右のストッパ脚に対して相対的に移動して上記ワイヤを引っ張り、防火シートを上方にまくし上げるとともに、上記巻取筒で防火シートの上部を巻き取ることが可能な構成であることを特徴とする防火シャッタ用安全装置を提供する。
【発明の効果】
【００１５】
本発明に係る防火シャッタ用安全示装置によると、防火シャッタを閉鎖した状態でも、防火機能を十分発揮することができ、防火シャッタを閉じた際にシャッタカーテンの下端に取り付けた門型のストッパが設置面に当接してシャッタ下方に隙間を形成することができ、この隙間及びこの隙間を閉鎖する防火シートの幅を上下方向の寸法を十分（４０ｃｍ以上）とることができ、しかもシャッタカーテンをシャッタボックス内に収納した際に防火シートがシャッタボックス下方の下から見える位置に残らない。
【００１６】
本発明に係る防火シャッタ用安全示装置よると、防火性を低下させることなく、火災時の防火機能を改善し、かつ人が挟まった場合の防火スライドの上方への退避安全動作についても信頼性を向上させ、さらに防火シャッタの収納性をも向上することができる。
【発明を実施するための最良の形態】
【００１７】
本発明に係る防火シャッタ用安全示装置を実施するための最良の形態を実施例に基づいて図面を参照して、以下説明する。
【実施例１】
【００１８】
図１〜６は、本発明に係る防火シャッタ用安全示装置の実施例１の構成及び作用を説明する図である。図１は、本発明に係る防火シャッタ用安全装置が適用された防火シャッタの実施例１の全体構成を説明する図であり、図１（ａ）はその正面図であり、そのＡ−Ａ断面を図１（ｂ）で示す。        
【００１９】
（全体構成）
この防火シャッタ１は、複数のスラット２が上下方向に連節されて成るシャッタカーテン３を備えている。左右一対のガイドレール５は、図２（ｂ）に示すように、断面が凹型の溝４（以下、「凹溝」という。）を有している。互いに連節された複数のスラット２は、その左右両側縁の部分が、図１（ａ）、（ｂ）に示すように、左右のガイドレール５の凹溝４内で移動可能な状態に装入されており、これにより、スラット２は、上下方向に案内されて昇降可能である。
【００２０】
火災や点検時ではない平常時においては、防火シャッタ１は開いており、シャッタカーテン３は、上方に配設されたシャッタボックス６内に巻き取られて図示しないブレーキにより拘束され、シャッタカーテン３が降下しないようにされている。通常の点検時においてシャッタカーテン３の昇降動作をチェックするような場合、あるいは火災が発生して、その煙を煙検知器で検知し又は熱検知器で熱を検知した場合等には、ブレーキによる拘束が解除されて、シャッタカーテン３は、その自重により降下して、防火シャッタ１が閉鎖される。
【００２１】
このような構成の防火シャッタ１は従来から知られた構造であるが、本発明は、このような防火シャッタ１に取り付けることの可能な防火シャッタ１用安全装置を特徴とする。この防火シャッタ１用安全装置をさらに図１〜図６で説明を続ける。
【００２２】
この防火シャッタ用安全装置７は、シャッタカーテン３の最下段のスラット２’（本発明の「シャッタカーテンの下端部」に相当する。）に固定される門型ストッパ８と、この門型ストッパ８に上下動可能に取り付けられる防火補助部材である防火シート９とを備えている。そして、この防火シャッタ用安全装置７は、シャッタボックス６内に巻き取られる際に、門型ストッパ８に対して防火シート９を自動的に上方にまくし上げる防火シートまくし上げ機構１０を備えている。
【００２３】
（門型ストッパと防火シート）
門型ストッパ８は、図１（ａ）に示すように、スラット２と左右方向の幅が同じ橋絡板１１と、この橋絡板１１の左右両端から下方に伸びる左右のストッパ脚１２とから門型に一体又は別体（本実施例の場合は一体）で構成されている。図２（ａ）、（ｂ）に示すように、橋絡板１１は、最下段のスラット２’にネジ１３で固定されて取り付けられている。
【００２４】
門型ストッパ８における橋絡板１１と左右のストッパ脚１２で囲われたほぼ長方形の部分が通孔部１４として形成されている。この通孔部１４は、詳細は後述するが、防火シャッタ１の閉鎖時に門型ストッパ８の左右のストッパ脚１２が設置面１５に当接すると、設置面１５との間で隙間部を形成する。
【００２５】
通孔部１４の上下方向の寸法は、防火シャッタ１の閉鎖時に人が挟まれても、スラット２が人に衝突して衝撃を与えないように設計される。本発明に係る防火シャッタ用安全装置７は、通孔部１４の上下方向の寸法を十分とれるようにした構成であることが特徴であり、具体的には、通孔部１４の上下方向の寸法が少なくとも４０ｃｍ以上となるように、ストッパ脚１２の上下方向の長さ寸法が形成される。
【００２６】
ストッパ脚１２は、上部の広幅部１６と下部の細幅部１７とを備えている。広幅部１６は、その内縁側に近い部分に上下方向（垂直方向）に形成された長孔から成るガイド溝１８が形成されている。左右のストッパ脚１２の広幅部１６の外縁側の部分及び細幅部１７は、左右のガイドレール５の夫々の凹溝４内で上下方向に移動可能に嵌合されている。
【００２７】
防火シート９は、耐熱性の高い繊維材からなる繊維シートから成る。耐熱性の高い繊維材としては、例えば、繊維に二酸化ケイ素を含有させて織って構成されるシリカファイバーシート等が使用され、通常の厚手の布材（例えば、帆布等）のように可撓性の材料を利用する。
【００２８】
この防火シート９の平面形状は、門型ストッパ８全体の横寸法（防火シャッタの左右横方向の寸法）と縦寸法（防火シャッタの上下方向の寸法）とほぼ同じ大きさの横寸法と縦寸法を有する長方形である。防火シート９は、耐熱性の高い繊維シートの一枚から形成してもよいし、複数枚を縫い合わせて一枚のシートとして使用してもよい。防火シート９の上下方向の途中に左右横方向に伸びる金属材、樹脂材等で形成された細長の中間補強片１９が取り付けられている。この中間補強片１９は、本実施例では１つであるが、２以上取り付けられていてもよい。
【００２９】
この防火シート９の上端部は、門型ストッパ８の橋絡板１１の背面側（図１（ａ）、２（ａ）、（ｂ）に示される正面に対する裏面側）固定されている。例えば、防火シート９の上端を橋絡板１１の背面と最下段のスラット２’の間に挟持し、ネジ１３でスラット２とともに橋絡板１１に固定されている。防火シート９の下端部には、座板２０が固定されている。
【００３０】
この座板２０は、前後一対の断面Ｌ型の座板片２１から成る。この座板片２１は、底部２２と垂直に起立した垂直部２３とから成る。底部２２の幅は、図１（ｂ）（前方の座板片２１が示されている。）、図２（ｂ）（後方の座板片２１が示されている）に示すように、その左右の両端部では小さく形成されており、ガイドレール５の凹溝４内で上下方向に移動し易いように構成されている。
【００３１】
前後一対の座板片２１の垂直部２３を防火シート９の下端部に前後から当接して防火シート９を挟持するようにして、ねじ２４で固定されて取り付けられる。座板片２１は、耐熱鋼等の耐熱金属材から形成されている。そして、座板２０は、人に衝突しても怪我を与えないことと、防火シート９に作用して下方に引っ張ることを考慮して、その重量を決める必要がある。
【００３２】
防火シート９の上端は、門型ストッパ８の橋絡板１１に固定され、下端には座板２０の重量による下向きの力が作用して下方に引っ張られて垂れ下がり、その結果、門型ストッパ８及び通孔部１４をほぼ全面的に覆うように構成されている。そして、図１（ｂ）で示すように、橋絡板１１の左右の側縁部、門型ストッパ８の左右のストッパ脚１２の側縁部（正確には広幅部１６の一部及び細幅部１７）、防火シート９の左右の側縁部、座板２０及び中間補強片１９の左右の端部は、それぞれ左右のガイドレール５内に位置し、しかも上下方向に移動可能なような構成となっている。
【００３３】
このような門型ストッパ８と防火シート９を設けることで、火災時や点検時に防火シャッタ１を閉じた際には、ストッパ脚１２が設置面１５に当り、橋絡板１１と左右のストッパ脚１２で囲われた通孔部１４は、防火シート９により完全に閉鎖可能となり、防火シート９は、シャッタカーテン３とともに、防火及び防煙機能を発揮する。防火シート９は、ガイドレール５内で上下方向には移動するが、上述のとおりその左右両側端、中間補強片１９はガイドレール５内に入って前後方向（正面側及び背面側方向）の動きが拘束されているから、火災の際に煙の勢いで前後方向にめくれてしまうようなことはない。
【００３４】
（防火シートまくし上げ機構１０）
上述のとおり、門型ストッパ８の左右のストッパ脚１２にそれぞれガイド溝１８が形成されているが、このガイド溝１８に沿って案内され上下方向に移動可能な係合片２５が設けられている。具体的には、図２（ａ）、（ｂ）に示すように、係合片２５は、ストッパ脚１２に当接する本体部２６と、この本体部２６から前方に起立した起立部２７とから一体に形成されている。
【００３５】
この本体部２６には上下２本のガイドピン２８が設けられており、このガイドピン２８はガイド溝１８に挿通されている。係合片２５は、このガイドピン２８を介して昇降可能に移動できるように設けられている。
【００３６】
門型ストッパ８の橋絡板１１には、ワイヤ案内具が固定されている。ワイヤ案内具は、ワイヤ２９を上下方向に折り返してガイドするものであり、本実施例では、図２（ｂ）に示すように、湾曲状のガイド管３０を採用し、このガイド管３０内にワイヤ２９を挿通して案内する構成としている。又、このような湾曲状のガイド管３０に代えて、図２（ｃ）に示すように、滑車（プーリ）３１を設け、この滑車３１にワイヤ２９を掛けるような構成としてもよい。
【００３７】
ワイヤ２９としては、ワイヤ、紐、細径のケーブル、鎖等の各種の線材が利用されるが、これらを総称して本明細書では「ワイヤ」という。ワイヤ２９の一端は係合片２５の本体２６に固定され、ワイヤ２９の他端を防火シート９の下端部、この実施例では座板２０に固定されている。ワイヤ２９は、中間補強片１９の挿通孔を有する駒片３２の挿通孔を通過するように形成されている。さらに、ワイヤ２９は中間補強片１９の駒片３２だけでなく、図示はしないが、防火シールに直接、縫着して付設した１又は２以上の挿通孔を有する駒片に挿通する構成としてもよい。
【００３８】
（実施例１の作用）
以上の構成から成る本発明に係る防火シャッタ用安全示装置の実施例１の作用について以下説明する。火災時や点検時ではない平常時においては、シャッタカーテン３は上方に配設されたシャッタボックス６内に巻き取られ、防火シャッタ１は開いている。火災時や点検時には、前述のように、シャッタカーテン３は、その自重により降下して、防火シャッタ１が閉鎖される。
【００３９】
防火シャッタ用安全示装置が付設されていない一般的な防火シャッタでは、その閉鎖の際に、人が転倒したりしてシャッタカーテンの直下にいると、下降してくるシャッタカーテンに挟まれてしまう。しかしながら、本発明に係る防火シャッタ１では、人が挟まれても次に説明するとおり安全である。
【００４０】
即ち、本発明に係る防火シャッタ１では、シャッタカーテン３が下降してくると座板２０が人Ｐに当接するが、防火シート９が可撓性の耐熱性繊維シートで形成されているために、防火シート９は上方に移動し退避する。そして、門型ストッパ８の左右のストッパ脚１２の下端が設置面１５に当接し、通孔部４によって、設置面１５と橋絡板１１との間に少なくとも４０ｃｍ以上の隙間（門型ストッパによる隙間）が形成される。このため、防火シート９は上方に少なくとも４０ｃｍ以上、上方に退避し、複数枚のスラット２から成るシャッタカーテン３が人に衝突し、その荷重による衝撃を人に与えるようなことはない。
【００４１】
ところで、既述のとおり、従来例の防火シャッタの安全装置では、人が挟まれた際に上方に退避できる防火スライド板（本発明の防火シート９に相当するもの。）が板材で形成されているために、その上下方向の幅が大きいと、シャッタボックス内にシャッタカーテンを巻き取っても、防火スライド板がシャッタボックス内に完全に収納することができない。要するに、防火シャッタを開いている通常の状態で、防火スライド板がシャッタボックスの下方から見える状態で残ってしまう。従って、防火スライド板及び門型ストッパにより形成される隙間の上下方向の寸法は十分にはとれない。
【００４２】
本発明に係る防火シャッタ用安全装置７によれば、防火スライド板の代わりに可撓性の耐熱繊維材から成る防火シート９を利用し、しかも防火シートまくし上げ機構１０を設けたので、シャッタボックス６内への巻き上げ終了後、防火シート９が下方から見えてしまう等の問題が生じることない。しかも、門型ストッパ８により上下方向隙間が十分（少なくとも４０ｃｍ以上の隙間）とれる。
【００４３】
この点の作用をさらに詳しく、防火シートまくし上げ機構１０を中心にして、図４〜６を参照して説明する。図４〜６の各図の（ａ）は、シャッタカーテン３をシャッタボックス６内の巻取ドラム３３に巻き上げていった巻き上げ終了前の状態を示し、図４〜６の各図の（ｂ）は、巻き上げ終了の状態を示す。
【００４４】
図４（ａ）において、建物の天井部の構造体３４に適宜、シャッタボックス６が固定されている。このシャッタボックス６には、図示しないモータにより駆動される巻取ドラム３３が付設されており、防火シャッタ１を開いている通常時（防火シャッタ非使用時）には、シャッタカーテン３のスラット２を巻き上げている。
【００４５】
ガイドレール５の上端は、建物の天井壁３５を貫通しシャッタボックス６に連通するように取り付けられている。ガイドレール５は、天井壁３５を貫通する部分において、天井壁の下面に設けられた前後一対のまぐさ３６（本発明における「建築物の一部」に相当するもの。本実施例では天井壁に水平に架け渡された支持桁。）で前後から支持されている。
【００４６】
閉鎖されていた状態の防火シャッタ１を開く際に、巻取ドラム３３にシャッタカーテン３を巻き取っていくと、最下段のスラット２’に固定された門型ストッパ８及び防火シート９も、共にガイドレール５で案内されて上昇していき、図４〜６の各（ａ）に示す状態に到達する。この状態では、防火シート９のほとんどの部分は、まぐさ３６及び天井壁３５より下方にあるから、下方からストッパ脚１２及び防火シート９が人の目に触れる状態にある。
【００４７】
図４〜６の各図の（ａ）の状態からさらに巻取ドラム３３でシャッタカーテン３のスラット２を巻き上げていくと、門型ストッパ８及び防火シート９がさらに上方に移動する。そして、ある程度、門型ストッパ８が上方に移動すると、係合片２５の起立部２７がまぐさ３６に係合する。
【００４８】
このような係合状態で、さらに門型ストッパ８が上方に移動すると、係合片２５はまぐさ３６と係合して移動できずに一定位置にあるが、門型ストッパ８は上方に移動する（係合片２５は門型ストッパに対して相対的にガイド溝１８に沿って移動する）ので、係合片２５はガイド溝１８の下端の位置にくる。
【００４９】
これにより、図４〜６の各図の（ｂ）に示すように、ワイヤ２９により防火シート９の下端に固定された座板２０は上方に引き上げられ、防火シート９全体がまくし上げられる。この結果、防火シート９の下端に固定された座板２０は、まぐさ３６及び天井壁３５より上方の位置となるので、下方から人の目に触れない状態となる。
【００５０】
防火シート９が上方にまくし上げられると、図４（ｂ）、図６（ｂ）に示すような波状の複数の折返しから成る折りたたみ部３７が生じる。防火シート９の左右両端部では、このような折りたたみ部３７は、図４（ｂ）に示すように、ガイドレール５内からシャッタボックス６内にかけて生じることとなる。
【００５１】
ところで、図４〜６の各図の（ｂ）の状態でも、門型ストッパ８の左右のストッパ脚１２は、その下部の一部がまぐさ３６の位置より下方に残るが、ストッパ脚１２は、その細幅部１７はガイドレール５内に入っており、広幅部１６については図４〜６の各図の（ｂ）の状態ではガイドレール５からはみ出ている部分はかなり少ないので、下方から見ても殆ど目立たない。
【００５２】
特に、図６（ｂ）に想像線Ａで示すように、ストッパ脚１２の細幅部１７をガイド溝１８の下端近くとなるように形成すれば、広幅部１６はガイドレール５内にほとんど入り込み、ガイドレール５からはみ出る部分はさらに少なくなる。
【００５３】
以上のとおり、本発明では、門型ストッパ８により形成される隙間（通孔部１４）の上下方向の寸法は十分（少なくとも４０ｃｍ以上）とり、これに対応して門型ストッパ８により形成される隙間（通孔部１４）閉鎖する防火シート９の上下方向の幅（縦幅）を十分とっても、シャッタカーテン３の巻き上げの最終状態で、防火シート９が天井壁３５より下方に残って下方から人の目に触れるような問題が生じない。
【００５４】
従って、門型ストッパ８により形成される上下方向の隙間（通孔部１４）を十分とれるから、防火シート９が上方に退避する間隔も大きくなり、防火シャッタ１に人が挟まってもスラット２が人に衝突する危険性がより少なくなり、安全性が一層、向上する。
【実施例２】
【００５５】
図７、８は本発明に係る防火シャッタ用安全装置の実施例２を説明する図である。実施例１の作用の項で説明したとおり、巻取ドラム３３にシャッタカーテン３が巻き上げられ、門型ストッパ８が上方に移動し係合片２５の起立部２７が前方のまぐさ３６に係合すると、係合片２５はガイド溝１８の下端の位置となり、ワイヤ２９により防火シート９が上方にまくし上げられる。この結果、防火シート９に形成される折りたたみ部３７は、その左右両端部では、図４（ｂ）に示すように、ガイドレール５からシャッタボックス６内にかけて生じる。
【００５６】
この場合、ガイドレール５内で折りたたみ部３７が生じると、場合によってはガイドレール５の内面と接触し、門型ストッパ８及び防火シート９がガイドレール内を移動する際に、ガイドレール９の内面と互いに干渉するので好ましくない。できたら、防火シート９の折りたたみ部３７は、スペースが広いシャッタボックス６内で生じることが好ましい。実施例２は、実施例１の構成を前提として、防火シート９の折りたたみ部３７をスペースが広いシャッタボックス６内で生じるようにするための手段を付加したものである。
【００５７】
実施例２は、実施例１の構成において、図７（ａ）、（ｂ）に示すように、門型ストッパ８の橋絡板１１と防火シート９に付設された中間補強片１９との間に、複数の引っ張りコイルばね３８を左右横方向に間隔を置いて架け渡す構成とした。引っ張りコイルばね３８の付勢力は、防火シート９に付設された中間補強片１９を介して防火シート９を上方に引き上げるように作用する。
【００５８】
ここで重要な点は、複数の引っ張りコイルばね３８の引っ張り付勢力の合計は、座板２０の重量よる防火シート９に下方に作用する力より小さくする必要がある。これにより、自然状態（係合片２５がまぐさ３６と係合していない状態。）では、座板２０の重量による下向きの力が、複数の引っ張りコイルばね３８の引っ張り付勢力にうち勝ち、防火シート９は下方に引き下げ吊り下がった状態となり、門型ストッパ８の通孔部１４を閉じた状態とする。
【００５９】
これ以外の構造は、実施例１と全く同じ構成であるからその説明は省略する。但し、実施例２では、防火シート９に中間補強片１９を取り付ける位置は、防火シート９の上部のどの程度まで積極的に折りたたみ部を形成するかにより異なるが、基本的には実施例１より上方とするとよい。
【００６０】
（実施例２の作用）
以上の構成から成る実施例２の作用を以下説明する。図８（ａ）は、閉鎖されている防火シャッタ１を開く際に、巻取ドラム３３にシャッタカーテン３が巻き取られ、門型ストッパ８及び防火シート９が上方に移動すると、図８（ａ）に示すように、門型ストッパ８及び防火シート９の上端がまぐさ３６及び天井壁３５より上方の位置となる。この状態では、係合片２５の起立部２７が、まぐさ３６に未だ係合していない。
【００６１】
さらに、巻取ドラム３３でシャッタスラット２を巻き取ると、係合片２５の起立部２７がまぐさ３６に係合し、実施例１で説明したように、係合片２５はまぐさ３６と係合して移動できずに一定位置にあるが、門型ストッパ８は上方に移動するので、係合片２５はガイド溝１８に沿って相対的にガイド溝１８の下端の位置となる。これにより、ワイヤ２９で防火シート９の下端に固定された座板２０は上方に引き上げられる。
【００６２】
この結果、防火シート９は全体的にワイヤ２９で上方に引き上げられるが、特に座板２０がワイヤ２９により引き上げられるから座板２０の重量による下向きの力が防火シート９にかからない状態となる。この結果、引っ張りコイルばね３８の引っ張り付勢力が中間補強片１９に上方に作用する。
【００６３】
すると、図８（ｂ）、（ｃ）に示すように、防火シート９における中間補強片１９から上の部分について特に顕著に波状に折り返され、折りたたみ部３７が形成される。このように防火シート９の上部において折りたたみ部３７が多く生じ、ガイドレール５内での折りたたみ部３７は少ない。従って、折りたたみ部３７がガイドレール５の内面に接触するようなことがない。
【００６４】
この実施例２では、実施例１と異なり、防火シート９全体を均等にまくし上げるのではなく、特に防火シート９の上部を引っ張りばねで積極的にまくし上げるものであるが、門型ストッパ８の通孔部１４の上下方向の寸法が４０ｃｍ程度の場合は防火シート９を１０ｃｍ程度まくし上げればまぐさ３６及び天井壁３５から下方に残る部分はなくなるので、実施例２のように防火シート９の全体でなく上部を部分的にまくし上げる構成はきわめて有効である。
【実施例３】
【００６５】
図９は本発明に係る防火シート９安全装置の実施例３を説明する図である。この実施例３は、実施例１と殆ど同じ構成であるが、実施例２と同様に、シャッタボックス６へのシャッタカーテン３の巻取の最終段階で、巻取ガイドレール５内でなるべく防火シート９の波状の折返しによる折りたたみ部が生じないようにするための解決手段を付加して成るものである。
【００６６】
この実施例２では、実施例１における門型ストッパ８の上端に、図９（ａ）に示すように、防火シート巻取筒３９を固定して取り付け、この巻取筒３９に最下段のスラット２’を取り付ける（固定又は枢着する）構成とした。防火シート巻取筒３９は、ゼンマイばねで常時、防火シート９を巻き取る方向に付勢する巻取軸が設けられている。防火シート９の上端は、この巻取軸に固定して取り付けられている。
【００６７】
ここで重要な点は、防火シート９を上方に引き上げるように作用するゼンマイばねの巻取付勢力が、防火シート９を下方に引っ張る座板２０の重量による下向きの力より小さいようにすることである。これにより、自然状態では、座板２０の重量による下向きの力がゼンマイばねの巻取付勢力にうち勝ち、防火シート９は常時、下方に吊り下がり門型ストッパ８の通孔部１４を閉じた状態とする。
【００６８】
このような巻取筒３９を設けた構成以外は、実施例１と全く同じ構成であるから、その説明は省略する。なお、図示はしないが、門型ストッパ８の上端を最下段のスラット２’に固定し（この点は実施例１と同様な構成）、この最下段のスラット２’に防火シート巻取筒３９を取り付ける構成としてもよい。
【００６９】
（実施例３の作用）
以上の構成から成る実施例３の作用を以下説明する。図９（ａ）に示すように、閉鎖されている防火シャッタ１を開く際、巻取ドラム３３にシャッタスラット２が巻き取られ、門型ストッパ８及び防火シート９が上方に移動すると、図９（ａ）に示すように、門型ストッパ８及び防火シート９の上端がまぐさ３６及び天井壁３５より上方の位置となる。
【００７０】
この状態では、上述のとおり、座板２０の重量による下向きの力がゼンマイばねの巻取付勢力にうち勝ち、防火シート９は、巻取筒３９に巻き取られておらず、門型ストッパ８の通孔部１４を閉鎖する状態で吊り下がっている。又、係合片２５の起立部２７が、まぐさ３６に未だ係合していない。
【００７１】
さらに、巻取ドラム３３でシャッタカーテン３を巻き上げると、係合片２５の起立部２７がまぐさ３６に係合し、実施例１で説明したように、係合片２５はまぐさ３６と係合して移動できずに一定位置にあるが、門型ストッパ８は上方に移動するので、係合片２５はガイド溝１８に沿って相対的にガイド溝１８の下端の位置となるようになる。これにより、ワイヤ２９で防火シート９の下端に固定された座板２０は上方に引き上げられる。
【００７２】
この結果、防火シート９には座板２０の重量がかかっておらず、下方に引っ張られていないフリーの状態となる。このような状態となると、防火シート９は、巻取筒３９内にそのゼンマイばねの巻取付勢力により巻き取られ始める。
【００７３】
ところで、巻取筒３９自体は、門型ストッパ８とともにガイドレール５内を上下動する必要上、その外径は小さいので、防火シート９を全部巻くことができない。しかしながら、実施例２で説明したとおり、防火シート９のうち、まぐさ３６から下方に残らないように防火シート９の一部を巻き取ればよいのであるからこの点は問題はない。そして、この実施例３によれば、図９（ｂ）の状態では、巻取筒３９内に防火シート９が巻き込まれるので、防火シート９のが波状に折返しによる折りたたみ部３７が発生しない。
【００７４】
以上、本発明に係る防火シャッタ用安全装置を実施するための最良の形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００７５】
本発明に係る防火シャッタ用安全装置は、以上のとおり、複数のスラットから成るシャッタカーテンと設置面の間に、門型ストッパによって４０ｃｍ以上の十分な隙間が確保できるから、子供だけでなく大人のための防火シャッタ用安全装置としても適しており、学校の防火シャッタはもとより、商業用ビル、病院、工場、その他の建物や施設等で利用される防火シャッタに適している。
【図面の簡単な説明】
【００７６】
【図１】本発明の実施例１の全体構成を説明する図であり、（ａ）は平面図であり、（ｂ）はＡ−Ａ断面を示す図である。
【図２】本発明の実施例１の要部を説明する図であり、（ａ）は要部正面図であり、（ｂ）は要部斜視図であり、（ｃ）は変形例の要部斜視図を示す図である。
【図３】実施例１の作用を説明する図である。
【図４】実施例１の作用を説明する図である。
【図５】実施例１の作用を説明する図である。
【図６】実施例１の作用を説明する図である。
【図７】本発明の実施例２の全体構成を説明する図であり、（ａ）は平面図であり、（ｂ）はＡ−Ａ断面を示す図である。
【図８】実施例２の作用を説明する図である。
【図９】本発明の実施例３の要部及び作用を説明する図である。
【符号の説明】
【００７７】
１  防火シャッタ                                
２  スラット                                    
２’最下段のスラット                            
３  シャッタカーテン                            
４  ガイドレールの凹溝                          
５  ガイドレール                                
６  シャッタボックス                            
７  防火シャッタ用安全装置                      
８  門型ストッパ                                
９  防火シート                                  
１０  防火シートまくし上げ機構                  
１１  橋絡板                                    
１２  ストッパ脚                                
１３  ネジ                                      
１４  通孔部                                    
１５  設置面                                    
１６  ストッパ脚上部の広幅部                    
１７  ストッパ脚下部の細幅部                    
１８  ガイド溝                                  
１９  中間補強片                                
２０  座板                                      
２１  座板片                                    
２２  座板片の底部                              
２３  座板片の垂直部                            
２４  ねじ                                      
２５  係合片                                    
２６  係合片の本体部                            
２７  係合片の起立部                            
２８  ガイドピン                                
２９  ワイヤ                                    
３０  湾曲状のガイド管                          
３１  滑車                                      
３２  駒片                                      
３３  巻取ドラム                                
３４  建物の天井部の構造体                      
３５  建物の天井壁                              
３６  まぐさ                                    
３７  折りたたみ部                              
３８  引っ張りコイルばね                        
３９  巻取筒                                    
【図１】
2005105750.tif 000003
【図２】
2005105750.tif 000004
【図３】
2005105750.tif 000005
【図４】
2005105750.tif 000006
【図５】
2005105750.tif 000007
【図６】
2005105750.tif 000008
【図７】
2005105750.tif 000009
【図８】
2005105750.tif 000010
【図９】
2005105750.tif 000011